(57)【特許請求の範囲】
【請求項１】
最も上流側に配置された複数の最上流側圧縮機本体と、
前記複数の最上流側圧縮機本体の下流側に配置され、前記複数の最上流側圧縮機本体それぞれから流出し、その後に合流したガスが流入する、少なくとも一段の下流側圧縮機本体と、
複数の最上流側圧縮機本体それぞれの入口付近に設けられ、前記対応する最上流側圧縮機本体に流入するガスの流入量を制御するインレットガイドベーンと、
前記複数の最上流側圧縮機本体それぞれの入口または出口付近に設けられ、前記対応する最上流側圧縮機本体を流通する流量を検出することにより最上流流量検出値を生成する複数の最上流流量検出器と、
前記複数の最上流側圧縮機それぞれから流出したガスの、合流後圧力を検出することにより合流後圧力検出値を生成する合流後圧力検出器と、
前記下流側圧縮機本体のうち、最も下流側に配置される最下流側圧縮機の出口圧力を検出することにより出口圧力検出値を生成する出口圧力検出器とを備える圧縮機を制御する圧縮機制御装置であって、
該圧縮機制御装置は、前記インレットガイドベーンの開度を制御するインレットガイドベーン開度制御部を有し、
該インレットガイドベーン開度制御部は、出口圧力検出値からインレットガイドベーン開度指令値を生成するインレットガイドベーン開度指令値生成部と、
前記複数の最上流側圧縮機本体それぞれについて、対応する最上流流量検出値と合流後圧力検出値により前記インレットガイドベーン開度指令値を補正する複数のインレットガイドベーン開度指令値補正部とを有することを特徴とする圧縮機制御装置。
【請求項２】
前記インレットガイドベーン開度指令値補正部は、
最上流流量検出値を合流後圧力検出値で除算することでインレットガイドベーン開度補正値を生成し、前記インレットガイドベーン開度指令値を前記インレットガイドベーン開度指令補正値に基づいて補正すること
を特徴とする請求項１に記載の圧縮機制御装置。
【請求項３】
前記インレットガイドベーン開度指令値補正部は、
前記インレットガイドベーンの開度を検出するために圧縮機に備えられたインレットガイドベーン開度検出器が生成するインレットガイドベーン開度検出値と、合流後圧力検出値とから流量推定値を生成し、該流量推定値と最上流流量検出値との差分からインレットガイドベーン開度指令補正値を生成し、前記インレットガイドベーン開度指令値を前記インレットガイドベーン開度指令補正値に基づいて補正すること
を特徴とする請求項１に記載の圧縮機制御装置。
【請求項４】
前記インレットガイドベーン開度指令値補正部は、
インレットガイドベーン開度補正値を取り消す信号を出力する補正取消信号出力部を有すること
を特徴とする請求項１から３のいずれか一項に記載の圧縮機制御装置。
【請求項５】
前記インレットガイドベーン開度指令値補正部は、
前記複数の最上流側圧縮機間の性能差を表す補正係数を生成する性能差補正係数生成部と、
前記複数の最上流側圧縮機それぞれの最上流流量検出値と前記性能差補正係数から入口流量目標値を算出する入口流量目標値生成部とを有し、
入口流量目標値と最上流流量検出値からインレットガイドベーン開度指令補正値を算出すること
を特徴とする請求項１から４のいずれか一項に記載の圧縮機制御装置。
【請求項６】
前記最下流側圧縮機本体の出口付近に設けられた放風弁の開度を制御する放風弁開度制御部を有し、
該放風弁開度制御部は、最上流流量検出値と合流後圧力検出値に基づいて第一放風弁開度指令値を算出する上流側アンチサージ制御部と、
出口圧力検出値に基づいて第二放風弁開度指令値を算出する出口圧力制御部と、
最下流側圧縮機の出口付近に設けられた出口流量検出器が検出する出口流量検出値と出口圧力検出値から第三放風弁開度指令値を算出する下流側アンチサージ制御部とを有し、
第一放風弁開度指令値と第二放風弁開度指令値と第三放風弁開度指令値のうち、放風弁開度が最も大きくなる指令値を選択し、放風弁開度を制御する指令値選択部を有することを特徴とする請求項１から５のいずれか一項に記載の圧縮機制御装置。
【請求項７】
前記上流側アンチサージ制御部は、
合流後圧力検出値から入口流量目標値を算出し、前記最上流圧縮機本体の入口での流量が入口流量目標値となるように放風弁開度を制御する第一放風弁開度指令値を出力すること
を特徴とする請求項６に記載の圧縮機制御装置。
【請求項８】
前記指令値選択部は、
第一放風弁開度制御値と第二放風弁開度制御値と第三放風弁開度制御値のうち、最も値の小さいものを選択するローセレクターであること
を特徴とする請求項６又は７に記載の圧縮機制御装置。
【請求項９】
請求項１から８のいずれか一項に記載の圧縮機制御装置と、
前記圧縮機制御装置によって制御される前記圧縮機とを備えること
を特徴とする圧縮機システム。
【請求項１０】
最も上流側に配置された複数の最上流側圧縮機本体と、前記複数の最上流側圧縮機本体の下流側に配置され、前記複数の最上流側圧縮機本体それぞれから流出し、その後に合流したガスが流入する、少なくとも一段の下流側圧縮機本体と、複数の最上流側圧縮機本体それぞれの入口付近に設けられ、前記対応する最上流側圧縮機本体に流入するガスの流入量を制御するインレットガイドベーンと、前記複数の最上流側圧縮機本体それぞれの入口付近に設けられ、前記対応する最上流側圧縮機本体の入口流量を検出することにより最上流流量検出値を生成する複数の最上流流量検出器と、前記複数の最上流側圧縮機それぞれから流出したガスの、合流後圧力を検出することにより合流後圧力検出値を生成する合流後圧力検出器と、前記下流側圧縮機本体のうち、最も下流側に配置される最下流側圧縮機の出口圧力を検出することにより出口圧力検出値を生成する出口圧力検出器とを備える圧縮機を制御する圧縮機制御方法であって、
該圧縮機制御方法は、前記インレットガイドベーンの開度を制御するインレットガイドベーン開度制御部において出口圧力検出値からインレットガイドベーン開度指令値を生成し、
前記複数の最上流側圧縮機本体それぞれについて、対応する最上流流量検出値と合流後圧力検出値とにより前記インレットガイドベーン開度指令値を補正すること
を特徴とする圧縮機制御方法。
【発明の詳細な説明】
【技術分野】
【０００１】
本発明は、複数の圧縮機本体を備えた圧縮機制御装置及びその制御方法、圧縮機システムに関する。
【背景技術】
【０００２】
ガスを圧縮し、下流側に接続された機械等に圧縮ガスを供給する圧縮機が知られている。そのような圧縮機として、インレットガイドベーンを上流側に配置して、インレットガイドベーンを介してガスを入口から圧縮機本体へと流入させるものがある。インレットガイドベーンの開度を調整することによって、圧縮機本体に流入するガスの流量を制御する。
【０００３】
このような圧縮機において、ガスの流れの上流側から下流側に向かって、複数段の圧縮機本体を設けることがある。（例えば、特許文献１参照）。また、流量を増加させるために、最も上流側に複数の圧縮機本体を設け、複数の圧縮機本体それぞれにおいて圧縮したガスを合流させた後、下流側の圧縮機本体に流入させる圧縮機がある。このような圧縮機において、最も上流側の複数の圧縮機本体それぞれの入口に設けられたインレットガイドベーンの開度を、同期して制御することによって、吐出されるガスの状態を制御する方式がある。
【先行技術文献】
【特許文献】
【０００４】
【特許文献１】特開平６−８８５９７号公報
【発明の概要】
【発明が解決しようとする課題】
【０００５】
しかし、そのような制御方式においては、最も上流側に設けられた複数の圧縮機本体間で、個体差や経年劣化等によって、性能に差が生じる場合がある。そのような場合、性能が劣っている方の圧縮機本体に合わせて、他方の圧縮機本体のインレットガイドベーンの開度も制御されてしまうため、運転可能な範囲が狭まってしまうおそれがあった。
【０００６】
本発明は、上記課題を解決するためになされたものであって、複数の圧縮機本体間に性能差が生じた場合であっても、適切にインレットガイドベーンの開度を制御し、最適な運転を行うことを可能とする圧縮機制御装置及びその制御方法、圧縮機システムを提供することを目的とする。
【課題を解決するための手段】
【０００７】
上記課題を解決するために、本発明は以下の手段を提案している。
本発明は、最も上流側に配置された複数の最上流側圧縮機本体と、
前記複数の最上流側圧縮機本体の下流側に配置され、前記複数の最上流側圧縮機本体それぞれから流出し、その後に合流したガスが流入する、少なくとも一段の下流側圧縮機本体と、複数の最上流側圧縮機本体それぞれの入口付近に設けられ、前記対応する最上流側圧縮機本体に流入するガスの流入量を制御するインレットガイドベーンと、前記複数の最上流側圧縮機本体それぞれの入口または出口付近に設けられ、前記対応する最上流側圧縮機本体を流通する流量を検出することにより最上流流量検出値を生成する複数の最上流流量検出器と、前記複数の最上流側圧縮機それぞれから流出したガスの、合流後圧力を検出することにより合流後圧力検出値を生成する合流後圧力検出器と、前記下流側圧縮機本体のうち、最も下流側に配置される最下流側圧縮機の出口圧力を検出することにより出口圧力検出値を生成する出口圧力検出器とを備える圧縮機を制御する圧縮機制御装置であって、該圧縮機制御装置は、前記インレットガイドベーンの開度を制御するインレットガイドベーン開度制御部を有し、該インレットガイドベーン開度制御部は、出口圧力検出値からインレットガイドベーン開度指令値を生成するインレットガイドベーン開度指令値生成部と、  前記複数の最上流側圧縮機本体それぞれについて、対応する最上流流量検出値と合流後圧力検出値により前記インレットガイドベーン開度指令値を補正する複数のインレットガイドベーン開度指令値補正部とを有することを特徴としている。
【０００８】
このような発明によれば、複数の最上流側圧縮機本体それぞれに設けられたインレットガイドベーンそれぞれの開度について、対応する最上流流量検出値と合流後圧力検出値とに基づいて、インレットガイドベーン開度指令値を補正することができる。これによって、複数の最上流側圧縮機間の性能差を考慮し、インレットガイドベーンそれぞれの開度を制御することができる。
【０００９】
上記インレットガイドベーン開度指令値補正部は、最上流流量検出値を合流後圧力検出値で除算することでインレットガイドベーン開度補正値を生成し、前記インレットガイドベーン開度指令値を前記インレットガイドベーン開度指令補正値に基づいて補正することを特徴としている。
【００１０】
このような発明によれば、複数の最上流側圧縮機本体それぞれの運転状態に応じて、インレットガイドベーン開度指令値を補正することができる。これによって、複数の最上流側圧縮機間の性能差を考慮し、インレットガイドベーンの開度を制御することができ、いわゆるサージングの発生を防ぐことができる。
【００１１】
上記インレットガイドベーン開度指令値補正部は、前記インレットガイドベーンの開度を検出するために圧縮機に備えられたインレットガイドベーン開度検出器が生成するインレットガイドベーン開度検出値と、合流後圧力検出値とから流量推定値を生成し、該流量推定値と最上流流量検出値との差分からインレットガイドベーン開度指令補正値を生成し、前記インレットガイドベーン開度指令値を前記インレットガイドベーン開度指令補正値に基づいて補正することを特徴としている。
【００１２】
このような発明によれば、複数の最上流側圧縮機本体が、当初と比較して大きく性能が異なっている場合であっても、推定される流量に基づいて、適切な補正を行うことができる。
【００１３】
上記インレットガイドベーン開度指令値補正部は、インレットガイドベーン開度補正値を取り消す信号を出力する補正取消信号出力部を有することを特徴としている。
【００１４】
このような発明によれば、アラームが発生した場合等、複数の最上流側圧縮機本体間の性能差によってインレットガイドベーン開度指令値を補正すべきでない場合、補正を行うか否かの切り替えを行うことができる。
【００１５】
上記インレットガイドベーン開度指令値補正部は、前記複数の最上流側圧縮機間の性能差を表す補正係数を生成する性能差補正係数生成部と、前記複数の最上流側圧縮機それぞれの最上流流量検出値と前記性能差補正係数から入口流量目標値を算出する入口流量目標値生成部とを有し、入口流量目標値と最上流流量検出値からインレットガイドベーン開度指令補正値を算出することを特徴としている。
【００１６】
このような発明によれば、予め入力された複数の最上流側圧縮機間の性能差を表す係数によって、インレットガイドベーン開度指令値を補正することができる。これによって、複数の最上流側圧縮機本体間の性能差による補正量を、状況に応じて調整することが可能となる。
【００１７】
上記最下流側圧縮機本体の出口付近に設けられた放風弁の開度を制御する放風弁開度制御部を有し、該放風弁開度制御部は、最上流流量検出値と合流後圧力検出値に基づいて第一放風弁開度指令値を算出する上流側アンチサージ制御部と、出口圧力検出値に基づいて第二放風弁開度指令値を算出する出口圧力制御部と、最下流側圧縮機の出口付近に設けられた出口流量検出器が検出する出口流量検出値と出口圧力検出値から第三放風弁開度指令値を算出する下流側アンチサージ制御部とを有し、第一放風弁開度指令値と第二放風弁開度指令値と第三放風弁開度指令値のうち、放風弁開度が最も大きくなる指令値を選択し、放風弁開度を制御する指令値選択部を有することを特徴としている。
【００１８】
このような発明によれば、最上流側圧縮機本体におけるサージングを考慮した放風弁の開度の制御を行うことができる。これによって、最上流側圧縮機本体でサージングが発生してしまうことを防ぐことが可能となる。
【００１９】
上記上流側アンチサージ制御部は、合流後圧力検出値から入口流量目標値を算出し、前記最上流圧縮機本体の入口での流量が入口流量目標値となるように放風弁開度を制御する第一放風弁開度指令値を出力することを特徴としている。
【００２０】
このような発明によれば、最上流圧縮機本体の入口での流量が入口流量目標値になるように放風弁の開度を制御することができる。これによって、最上流側圧縮機本体においてサージングが発生することを確実に防止することができる。
【００２１】
上記指令値選択部は、第一放風弁開度指令値と第二放風弁開度指令値と第三放風弁開度指令値とのうち、最も値の小さいものを選択するローセレクターであることを特徴としている。
【００２２】
このような発明によれば、放風弁開度指令値は、小さい値であるほど放風弁の開度が大きくなるような値として表され、最も小さい値がローセレクターにより選択される。これによって、放風弁開度指令値の信号がない場合でも、サージングに対して安全側に放風弁の開度を制御することができる。
【００２３】
圧縮機システムにおいて、前記圧縮機制御装置と、前記圧縮機制御装置によって制御される前記圧縮機とを備えることを特徴としている。
【００２４】
このような発明によれば、上記のような作用効果を奏する圧縮機システムを提供することができる。
【００２５】
また、本発明は、最も上流側に配置された複数の最上流側圧縮機本体と、前記複数の最上流側圧縮機本体の下流側に配置され、前記複数の最上流側圧縮機本体それぞれから流出し、その後に合流したガスが流入する、少なくとも一段の下流側圧縮機本体と、複数の最上流側圧縮機本体それぞれの入口付近に設けられ、前記対応する最上流側圧縮機本体に流入するガスの流入量を制御するインレットガイドベーンと、前記複数の最上流側圧縮機本体それぞれの入口付近に設けられ、前記対応する最上流側圧縮機本体の入口流量を検出することにより最上流流量検出値を生成する複数の最上流流量検出器と、前記複数の最上流側圧縮機それぞれから流出したガスの、合流後圧力を検出することにより合流後圧力検出値を生成する合流後圧力検出器と、前記下流側圧縮機本体のうち、最も下流側に配置される最下流側圧縮機の出口圧力を検出することにより出口圧力検出値を生成する出口圧力検出器とを備える圧縮機を制御する圧縮機制御方法であって、該圧縮機制御方法は、前記インレットガイドベーンの開度を制御するインレットガイドベーン開度制御部において出口圧力検出値からインレットガイドベーン開度指令値を生成し、前記複数の最上流側圧縮機本体それぞれについて、対応する最上流流量検出値と合流後圧力検出値とにより前記インレットガイドベーン開度指令値を補正することを特徴としている。
【００２６】
このような発明によれば、複数の最上流側圧縮機本体それぞれに設けられたインレットガイドベーンそれぞれの開度について、対応する最上流流量検出値と合流後圧力検出値とに基づいて、インレットガイドベーン開度指令値を補正することができる。これによって、複数の最上流側圧縮機間の性能差を考慮し、インレットガイドベーンそれぞれの開度を制御することができる。
【発明の効果】
【００２７】
本発明の圧縮機制御装置及び圧縮機制御方法、圧縮機システムによれば、上記の通り、複数の圧縮機に性能差が生じた場合であっても、最適な運転を行うことができる。
【図面の簡単な説明】
【００２８】
【図１】本発明の第一実施形態における圧縮機システムの構成図である。
【図２】本発明の第一実施形態における圧縮機制御装置の構成図である。
【図３】関数ＦＸ６１を表す図である。
【図４】関数ＦＸ６４を表す図である。
【図５】第一実施形態におけるＩＧＶ開度指令値補正部の補正の考え方を説明するための、圧縮機の性能曲線を表す図である。
【図６】本発明の第二実施形態における圧縮機システムの構成図である。
【図７】第二実施形態におけるＩＧＶ開度指令値補正部の補正の考え方を説明するための、圧縮機の性能曲線を表す図である。
【図８】本発明の第三実施形態における圧縮機システムの構成図である。
【図９】本発明の第四実施形態における圧縮機システムの構成図である。
【図１０】第四実施形態におけるＩＧＶ開度指令値補正部の補正の考え方を説明するための、圧縮機の性能曲線を表す図である。
【発明を実施するための形態】
【００２９】
以下、図面を参照して本発明の第一実施形態について説明する。図１は、本発明の第一実施形態における圧縮機システム１を示す。圧縮機システム１は、圧縮機２と圧縮機制御装置２０１とからなる。圧縮機２は、複数の圧縮機本体からなり、圧縮機本体は、ガス（空気を含む）の流れの上流側から下流側に複数段にわたって設けられている。最も上流側に配置されている最上流側圧縮機本体２１は、並列に設けられた二つの圧縮機本体からなる（第一最上流側圧縮機本体２１ａ、第二最上流側圧縮機本体２１ｂ）。最上流側圧縮機本体２１の下流側には、下流側圧縮機本体が二段にわたって設けられている。本実施形態では、下流側圧縮機本体は、最も下流側に設けられている最下流側圧縮機本体２４と、最上流側圧縮機本体２１と最下流側圧縮機本体２４との中間に設けられている中間圧縮機本体２３とからなる。
【００３０】
各圧縮機本体は、シャフト２５を介して駆動源であるモータ２６と結合されている。シャフト２５の一端には、複数の最上流側圧縮機本体２１が、シャフト２５に対して並列に配置される。また、シャフト２５の他端には、中間圧縮機本体２３及び最下流側圧縮機本体２４が、シャフト２５に対して並列に配置される。モータ２６は、シャフト２５の中間に接続される。各圧縮機本体及びモータ２６は、ギアボックス２８を介してシャフト２５と接続される。
【００３１】
複数の最上流側圧縮機本体２１それぞれの出口には、供給ライン２７を介して、ガスを吸い込んで圧縮することにより圧縮ガスを生成する。供給ライン２７は、第一供給ライン２７ａ及び第二供給ライン２７ｂからなり、ガスを最上流側圧縮機本体２１に供給するための配管である。第一供給ライン２７ａは第一最上流側圧縮機本体２１ａの入口に接続され、第二供給ライン２７ｂは第二最上流側圧縮機本体２１ｂの入口に接続されている。
【００３２】
複数の最上流側圧縮機本体２１それぞれの出口には、第一接続ライン３０が接続され、当該第一接続ライン３０は中間圧縮機本体２３の入口と接続されている。第一接続ライン３０は、最上流側圧縮機本体２１で生成された圧縮ガスを、中間圧縮機本体２３へと供給するための配管である。第一接続ライン３０は、合流部を有し、第一最上流側圧縮機本体２１ａと第二最上流側圧縮機本体２１ｂとからそれぞれ吐出された圧縮ガスを合流させた後、合流後の圧縮ガスを中間圧縮機本体２３へと供給する。
【００３３】
中間圧縮機本体２３は、各最上流側圧縮機本体２１の出口に接続された第一接続ライン３０を介して、各最上流側圧縮機本体２１により圧縮された圧縮ガスを吸い込み、さらに圧縮する。中間圧縮機本体２３の出口には、第二接続ライン３１が接続され、当該第二接続ライン３１は最下流側圧縮機本体２４の入口と接続される。第二接続ライン３１は、中間圧縮機本体２３で生成された圧縮ガスを最下流側圧縮機本体２４へと供給するための配管である。
【００３４】
最下流側圧縮機本体２４は、中間圧縮機本体２３の出口に接続された第二接続ライン３１を介して、中間圧縮機本体２３により圧縮された圧縮ガスを吸い込み、さらに圧縮する。
【００３５】
また、最下流側圧縮機本体２４の出口には、吐出ライン２９が接続されており、最下流側圧縮機本体２４で圧縮された圧縮ガスは、吐出ライン２９を介して、下流側プロセスへと供給される。吐出ライン２９は、下流側プロセスに圧縮ガスを供給するための配管である。
【００３６】
以上のように、この圧縮機システム１において、ガスは、供給ライン２７を介して第一最上流側圧縮機本体２１ａ及び第二最上流側圧縮機本体２１ｂそれぞれに供給される。第一最上流側圧縮機本体２１ａ及び第二最上流側圧縮機本体２１ｂそれぞれにおいて、ガスは圧縮され、第一接続ライン３０に流入する。圧縮ガスは、第一接続ライン３０の合流部において合流した後、中間圧縮機本体２３へと供給される。中間圧縮機本体２３においても同様に、ガスはさらに圧縮され、第二接続ライン３１を介して最下流側圧縮機本体２４へと供給される。最下流側圧縮機本体２４においても同様に、ガスがさらに圧縮され、吐出ライン２９を介して、下流側プロセスへ吐出される。
【００３７】
供給ライン２７における、各最上流側圧縮機本体２１それぞれの入口付近には、最上流側圧縮機本体２１へ供給されるガスの流量を制御するインレットガイドベーン（Ｉｎｌｅｔ  Ｇｕｉｄｅ  Ｖａｎｅ、以下ＩＧＶ）３２（３２ａ、３２ｂ）が設けられている。第一供給ライン２７ａには、第一ＩＧＶ３２ａが設けられ、第二供給ライン２７ｂには、第二ＩＧＶ３２ｂが設けられており、それぞれ対応する最上流側圧縮機本体２１に流入するガスの流量を制御している。
【００３８】
吐出ライン２９には、吐出ライン２９からガスを放出することができる放風弁３８が設けられている。放風弁３８は、圧縮するガスが空気である空気圧縮機である場合は、空気を大気に放出する。また、ガスが窒素等の場合は、リサイクル弁とすることができる。その場合、ガスは、リサイクル弁から供給ライン２７まで接続されたリサイクルラインを介して、供給ライン２７に戻すことも可能である。
ＩＧＶ３２及び放風弁３８は、圧縮機の出口圧力を制御したり、サージングを回避したりするために、その開度が制御される。
【００３９】
供給ライン２７には、最上流側圧縮機本体２１に流入する入口流量を検出することにより、入口流量検出値を生成する、入口流量検出器３３が配置される。第一供給ライン２７ａには第一入口流量検出器３３ａが配置され、第二供給ライン２７ｂには第二入口流量検出器３３ｂが配置される。
【００４０】
第一接続ライン３０における合流部より下流側には、第一最上流側圧縮機本体２１ａ及び第二最上流側圧縮機本体２１ｂそれぞれから流出したガスが合流した後の圧力を検出することにより、合流後圧力検出値を生成する、合流後圧力検出器３４が配置される。
【００４１】
吐出ライン２９には、最下流側圧縮機本体２４の出口から流出するガスの圧力を検出することにより、出口圧力検出値を生成する出口圧力検出器３５が配置されている。
【００４２】
また、吐出ライン２９には、最下流側圧縮機本体２４の出口から流出するガスの流量を検出することにより、出口流量検出値を生成する出口流量検出器３６が配置される。
【００４３】
加えて、第一接続ライン３０及び第二接続ライン３１には、内部を流れるガスを冷却するためのクーラ３９が配置される。
【００４４】
次に、圧縮機制御装置２０１の構成について、説明する。
図２に示すように、圧縮機制御装置２０１は、ＩＧＶ開度制御部４０と放風弁開度制御部５０とを備える。ＩＧＶ開度制御部４０は、ＩＧＶ３２の開度の制御を行う。ＩＧＶ開度制御部４０は、第一ＩＧＶ開度制御部４０ａと第二ＩＧＶ開度制御部４０ｂとからなり、第一ＩＧＶ開度制御部４０ａは、第一ＩＧＶ３２ａの開度の制御を行い、第二ＩＧＶ開度制御部４０ｂは、第二ＩＧＶ３２ｂの開度の制御を行う。第一ＩＧＶ開度制御部４０ａと第二ＩＧＶ開度制御部４０ｂとの構成は等しいため、以下、符号末尾のａ、ｂを省略して表示するものとして、合わせて説明するとともに、個別の説明とする場合には各構成の符号末尾にａ、ｂを表示して区別するものとする。
【００４５】
ＩＧＶ開度制御部４０（４０ａ、４０ｂ）は、ＩＧＶ開度指令値生成部４１とＩＧＶ開度指令値補正部４２（４２ａ、４２ｂ）とを備える。ＩＧＶ開度指令値生成部４１は、第一ＩＧＶ開度制御部４０ａと、第二ＩＧＶ開度制御部４２ｂとで共通のものである。ＩＧＶ開度指令値補正部４２は、第一ＩＧＶ開度指令値４２ａと第二ＩＧＶ開度指令値補正部４２ｂとからなる。
ＩＧＶ開度指令値生成部４１は、ＩＧＶ３２の開度を示すＩＧＶ開度指令値を生成し、出力する。ＩＧＶ開度指令値生成部４１は、圧力制御器９１と、関数発生器６１とを備える。
【００４６】
各ＩＧＶ開度指令値補正部４２は、ＩＧＶ開度指令値生成部４１が出力したＩＧＶ開度指令値の補正を行う。
各ＩＧＶ開度指令値補正部４２は、入力された入口流量検出値をそのまま出力する流量インジケータ８１（８１ａ、８１ｂ）と、入力された合流後圧力検出値をそのまま出力する圧力インジケータ８２と、入口流量検出値を合流後圧力検出値で除算し出力する除算器７１（７１ａ、７１ｂ）と、ＩＧＶ開度補正値を出力する関数発生器６２（６２ａ、６２ｂ）とを備える。流量インジケータ８１は、第一ＩＧＶ開度指令値補正部４２ａに対応する第一流量インジケータ８１ａと、第二ＩＧＶ開度指令値補正部４２ｂに対応する第二流量インジケータ８１ｂとからなる。除算器７１は、第一ＩＧＶ開度指令値補正部４２ａに対応する第一除算器７１ａと、第二ＩＧＶ開度指令値補正部４２ｂに対応する第二除算器７１ｂとからなる。関数発生器６２は、第一ＩＧＶ開度指令値補正部４２ａに対応する第一関数発生器６２ａと、第二ＩＧＶ開度指令値補正部４２ｂに対応する第二関数発生器６２ｂとからなる。また、圧力インジケータ８２は、第一ＩＧＶ開度指令値補正部４２ａと第二ＩＧＶ開度指令値補正部４２ｂとで共通のものとしているが、これに限るものではない。
【００４７】
放風弁開度制御部５０は、放風弁３８の開度の制御を行う。図２に示すように、放風弁開度制御部５０は、上流側アンチサージ制御部５１と、出口圧力制御部５２と、下流側アンチサージ制御部５３と、指令値選択部１０１とを備える。ここで、アンチサージ制御とは、圧縮機における流量が少なくなることで発生するいわゆるサージングにより、圧縮機が損傷することを防止するために、流量を一定値以上に保つ制御である。
【００４８】
上流側アンチサージ制御部５１は、最上流側圧縮機本体２１においてサージングが発生するのを防ぐために、放風弁３８の開度を制御する。上流側アンチサージ制御部５１は、第一上流側アンチサージ制御部５１ａと、第二上流側アンチサージ制御部５１ｂとを備える。第一上流側アンチサージ制御部５１ａは、第一最上流側圧縮機本体２１ａにおいてサージングが発生することを防ぐために、放風弁３８の開度を制御する。第二上流側アンチサージ制御部５１ｂは、第二最上流側圧縮機本体２１ｂにおいてサージングが発生することを防ぐために、放風弁３８の開度を制御する。ここで、第一最上流側アンチサージ制御部５１ａと第二上流側アンチサージ制御部５１ｂの構成は等しいため、以下、符号末尾のａ、ｂを省略して表示するものとして合わせて説明するとともに、個別の説明とする場合には各構成に符号末尾にａ、ｂを表示して区別するものとする。
【００４９】
上流側アンチサージ制御部５１（５１ａ、５１ｂ）は、入力された合流後出口圧力検出値をそのまま出力する圧力インジケータ８２と、入口流量目標値を出力する関数発生器６３（６３ａ、６３ｂ）と、入力された入口流量検出値をそのまま出力する流量インジケータ８１（８１ａ、８１ｂ）と、入口流量目標値に基づいて第一放風弁開度指令値を出力する流量制御器９２（９２ａ、９２ｂ）とを備える。関数発生器６３は、第一上流側アンチサージ制御部５１ａに対応する第一関数発生器６３ａと、第二上流側アンチサージ制御部５１ｂに対応する第二関数発生器６３ｂとからなる。流量インジケータ８１は、第一上流側アンチサージ制御部５１ａに対応する第一流量インジケータ８１ａと、第二上流側アンチサージ制御部５１ｂに対応する第二流量インジケータ８１ｂとからなる。流量制御器９２は、第一上流側アンチサージ制御部５１ａに対応する第一流量制御器９２ａと、第二上流側アンチサージ制御部５１ｂに対応する第二流量制御器９２ｂとからなる。また、圧力インジケータ８２は、第一上流側アンチサージ制御部５１ａと第二上流側アンチサージ生後部５１ｂとで共通のものとしているが、これに限るものではない。
【００５０】
出口圧力制御部５２は、入力された出口圧力検出値が設定値となるような操作値を出力する圧力制御器９１と、第二放風弁開度指令値を出力する関数発生器６４とを備える。
【００５１】
下流側アンチサージ制御部５３は、出口流量目標値を出力する関数発生器６５と、出口流量目標値に基づいて第三放風弁開度指令値を出力する流量制御器９３とを備える。
【００５２】
次に、圧縮機制御装置２０１による制御の動作について、説明する。まず、ＩＧＶ開度制御部４０（４０ａ、４０ｂ）の制御の動作について説明する。
【００５３】
ＩＧＶ開度制御部４０におけるＩＧＶ開度指令値生成部４１の制御の動作について説明する。
図１に示すように、圧力制御器９１には、出口圧力検出器３５にて生成された出口圧力検出値が入力される。圧力制御器９１は、入力された出口圧力検出値が設定値となるように、操作値を生成し、出力する。
【００５４】
関数発生器６１には、圧力制御器９１にて生成、出力された操作値が入力される。関数発生器６１は、入力された操作値を、予め設定された所定の関数ＦＸ６１によって、ＩＧＶ開度指令値を生成し、出力する。
【００５５】
関数ＦＸ６１は、本実施形態では図３に示すように、操作値が０％〜５０％のとき、ＩＧＶ開度指令値が一定値Ｘ％であり、操作値の大きさが５０％を越えると、その大きさに比例して単調増加していき、操作が１００％のとき、ＩＧＶ開度指令値が１００％となるものである。
一般に、ＩＧＶは、スロットル式の制御弁であり、その構造に起因して、ある開度以下での制御精度が低くなる。そのため、その開度を最小開度θと設定し、全閉状態とはせず、最小開度θ〜全開開度に制御して使用する。したがって、制御する際には、最小開度θに該当する操作量をＸ％とし、全開状態に該当する操作量を１００％としている。
【００５６】
各ＩＧＶ開度制御部４０における各ＩＧＶ開度指令値補正部４２（４２ａ、４２ｂ）の制御の動作について説明する。
各流量インジケータ８１（８１ａ、８１ｂ）には、対応する入口流量検出器３３（３３ａ、３３ｂ）にて生成された入口流量検出値が入力され、そのまま入口流量検出値が出力される。
圧力インジケータ８２には、合流後圧力検出器３４にて生成された合流後圧力検出値が入力され、合流後圧力検出値がそのまま出力される。
【００５７】
各除算器７１（７１ａ、７１ｂ）には、対応する流量インジケータ８１より出力された入口流量検出値と、圧力インジケータ８２より出力された合流後圧力検出値が入力される。各除算器７１は、入口流量検出値を合流後圧力検出値で除算することによって、ＩＧＶ開度指令補正値を生成し、出力する。ＩＧＶ開度指令補正値は、ＩＧＶ開度指令値を補正するために用いる値である。出力されたＩＧＶ開度指令補正値は、対応する関数発生器６２（６２ａ、６２ｂ）へと入力される。
ここで、各入口流量検出器３３のかわりに、最上流側圧縮機本体２１それぞれの出口に流量検出器を設け、該流量検出器において検出した最上流側圧縮機出口流量検出値を除算器に入力しても良い。
【００５８】
各関数発生器６２には、対応する除算器７１から出力されたＩＧＶ開度指令補正値と、ＩＧＶ開度指令値生成部４１における関数発生器６１から出力されたＩＧＶ開度指令値が入力される。各関数発生器６２は、ＩＧＶ開度指令値をＩＧＶ開度指令補正値によって補正し、ＩＧＶ開度補正値を生成し、出力する。出力されたＩＧＶ開度補正値は、対応するＩＧＶ３２（３２ａ、３２ｂ）に入力される。ＩＧＶ３２の開度は、入力されたＩＧＶ開度補正値によって制御される。
【００５９】
各関数発生器６２では、ＩＧＶ開度指令補正値が大きい値であるほど、ＩＧＶ開度指令値を大きく補正するような関数が予め設定されている。これは、サージラインからのマージンをなるべく多く確保するためである。ここで、各関数発生器６２には、予めわかっている第一最上流側圧縮機本体２１ａと第二最上流側圧縮機本体２１ｂとの個体差を考慮した関数が設定される。また、経年劣化を考慮した関数が設定されても良い。
【００６０】
各関数発生器６２においては、以下のような考え方に基づいて、ＩＧＶ開度指令値の補正が行われる。図５において、ラインＡ１、Ａ２、Ａ３は、ＩＧＶの各開度における圧力Ｐ−流量Ｆ曲線であり、特に、ラインＡ３は、ＩＧＶが最大開度（全開）のときの圧力Ｐ−流量Ｆ曲線である。また、ラインＬ１は、サージラインであり、これより左側の領域は、サージングが発生する領域である。そのため、通常、サージラインＬ１に対して１０％程度のマージンをとったサージコントロールラインＬ２より右側の領域において、圧縮機の圧力、流量が制御される。
【００６１】
入口流量検出値がＦ１、合流後圧力検出値がＰ１であった場合、入口流量検出値Ｆ１を合流後圧力検出値Ｐ１で除算した値、つまりＩＧＶ開度指令補正値は、直線Ｓ１の傾きの逆数に相当する。この値が小さいほど、サージラインＬ１に近く、サージが発生しやすい状態であると考えられる。
【００６２】
そのため、各関数発生器６２には、ＩＧＶ開度指令補正値が小さいほど、ＩＧＶ開度指令値をサージラインから離れる方向に補正するような関数ＦＸ６２が設定されている。その関数ＦＸ６２に基づいてＩＧＶ開度指令値を補正し、ＩＧＶ開度補正値を生成、出力する。この場合、関数発生器６２は、ＩＧＶ開度指令補正値から導き出した所定の値とＩＧＶ開度指令値との差分によって補正を行っても良いし、所定の値を比率とし、ＩＧＶ開度指令値に該所定の値を掛けることによって補正を行っても良い。
【００６３】
以上の動作を、第一ＩＧＶ開度制御部４０ａ及び第二ＩＧＶ開度制御部４０ｂがそれぞれ行い、第一ＩＧＶ３２ａ及び第二ＩＧＶ３２ｂの開度がそれぞれ制御される。
【００６４】
続いて、放風弁開度制御部５０における制御の動作について説明する。まず、上流側アンチサージ制御部５１（５１ａ、５１ｂ）の制御の動作について説明する。
図１に示すように、圧力インジケータ８２には、合流後圧力検出器３４にて生成された合流後圧力検出値が入力される。圧力インジケータ８２は、入力された合流後圧力検出値を、そのまま出力する。
【００６５】
各関数発生器６３（６３ａ、６３ｂ）には、圧力インジケータ８２から出力された合流後圧力検出値が入力される。各関数発生器６３は、入力された合流後圧力検出値から、予め設定された関数によって、入口流量目標値を算出し、出力する。入口流量目標値は、対応する最上流側圧縮機本体２１（２１ａ、２１ｂ）においてサージングの発生を防止するために必要な所定の流量である。
【００６６】
各流量インジケータ８１（８１ａ、８１ｂ）には、対応する入口流量検出器３３（３３ａ、３３ｂ）にて生成された入口流量検出値が入力される。各流量インジケータ８１は、入口流量検出値をそのまま出力する。なお、流量インジケータ８１は、ＩＧＶ開度制御部４０におけるＩＧＶ開度指令値補正部４２と共通のものとしているが、これに限るものではない。
【００６７】
各流量制御器９２（９２ａ、９２ｂ）には、対応する関数発生器６３から出力された入口流量目標値と、対応する流量インジケータ８１から出力された入口流量検出値が入力される。各流量制御器９２は、入口流量検出値が入口流量目標値になるような第一放風弁開度指令値を出力する。この第一放風弁開度は、第一上流側アンチサージ制御部５１ａと第二上流側アンチサージ制御部５１ｂのそれぞれから出力される。
【００６８】
次に、出口圧力制御部５２における制御の動作について説明する。
圧力制御器９１には、出口圧力検出器３５にて生成された出口圧力検出値が入力される。圧力制御器９１は、入力された出口圧力検出値が設定値となるような操作値を生成し、出力する。この圧力制御器９１は、ＩＧＶ開度制御部４０におけるＩＧＶ開度指令値生成部４１と共通のものとしているが、これに限るものではない。つまり、操作値は、関数発生器６１と、関数発生器６４に入力される。なお、これに限らず、関数発生器６１に入力する構成と、関数発生器６４に入力する構成とを別のものとしても良い。
【００６９】
関数発生器６４には、圧力制御器９１にて生成された操作値が入力される。関数発生器６４は、入力された放風弁開度指令値を予め設定された関数ＦＸ６４によって、第二放風弁開度指令値を生成し、出力する。図４に示すように、本実施形態において関数ＦＸ６４は、操作値が０％〜５０％のとき、放風弁開度指令値がその大きさに比例して単調増加していき、操作値の大きさが５０％を越えると、第二放風弁開度指令値が一定値１００％であるものである。これは、IGV最小開度で一定の操作値では放風弁開度により制御を行い，放風弁が全閉（開度指令値１００%）になった状態で、IGV開度を制御することで，圧縮機から放風されるガス量を最小にすることができ、運転効率を高めることができるためである。
【００７０】
次に、下流側アンチサージ制御部５３における制御の動作について説明する。関数発生器６５には、出口圧力検出器３５にて生成された出口圧力検出値が入力される。関数発生器６５は、入力された出口圧力検出値から、予め設定された関数によって、出口流量目標値を生成し、出力する。関数ＦＸ６５は、出口圧力検出値と出口流量目標値との関係を表す関数である。出口流量目標値は、圧縮機の出口において、サージングの発生を防止するために必要な所定の流量である。
【００７１】
流量制御器９３には、関数発生器６５から出力された出口流量目標値と、出口流量検出器３６にて生成された出口流量検出値が入力される。流量制御器９３は、出口流量検出値が、関数発生器６５から出力された出口流量目標値となるような第三放風弁開度指令値を出力する。
【００７２】
指令値選択部１０１には、各放風弁開度指令値が入力される。指令値選択部１０１は、そのうち放風弁開度が最も大きくなる指令値を選択し、放風弁３８へ出力する。これは、放風弁３８の開度が大きくなる方に制御することにより、サージングに対してより安全な方に制御することができるためである。指令値選択部１０１から出力された放風弁開度指令値は、放風弁３８に入力され、その開度が制御される。
【００７３】
次いで、第１実施形態の作用について説明する。
各ＩＧＶ開度制御部４０では、出口圧力検出値に基づいて、圧力制御器９１及び関数発生器６１によって算出されたＩＧＶ開度指令値を、複数の最上流側圧縮機それぞれにおける入口流量検出値を合流後圧力検出値によって除算することで生成されたＩＧＶ開度指令補正値によって補正してから、対応するＩＧＶ３２へ入力することができる。これによって、複数の最上流側圧縮機本体２１それぞれにおける入口流量検出値がＩＧＶ３２の開度の制御に考慮されるため、複数の最上流側圧縮機本体２１間の性能差を考慮して、対応するＩＧＶ３２へとＩＧＶ開度補正値を出力することができる。これによって第一ＩＧＶ３２ａと第二ＩＧＶ３２ｂそれぞれの開度を適切に制御することができる。
【００７４】
また、従来は、出口流量検出値、つまり圧縮機の全体流量を用いてアンチサージ制御していたため、複数の最上流側圧縮機本体２１間において、固体差や経年劣化により性能差が生じた場合や、ＩＧＶ３２において動作不良が発生した場合は、適切にアンチサージ制御を行うことができないおそれがあった。しかし、本実施形態における放風弁開度制御部５０では、出口流量検出値によるアンチサージ制御に加え、最上流側圧縮機本体２１それぞれの入口流量検出値を用いてアンチサージ制御が行われる。これによって、複数の最上流側圧縮機本体２１間において、固体差や経年劣化により性能差が生じた場合や、ＩＧＶ３２の動作不良が発生した場合であっても、確実にサージングが発生することを防止することができ、サージングによって、圧縮機が損傷することを防止することが可能となる。
【００７５】
なお、各放風弁開度指令値は、指令する放風弁の開度が大きいほど小さい値になるようにし、指令値選択部１０１は、入力された値のうち、最も小さいものを選択し、出力するローセレクターであると良い。これによって、入力信号がなくなった場合に、放風弁３８の開度が全開になるように制御されるため、サージングに対して安全側に制御されるようにすることができる。
【００７６】
次に、第二実施形態の圧縮機制御装置２０２について、説明する。この第二実施形態については、第一実施形態と同様の構成要素については同様の符号を付して詳細な説明を省略する。以下の実施形態でも同様である。
図６に示すように、本実施形態にかかる圧縮機制御装置２０２のＩＧＶ開度制御部４０（４０ａ、４０ｂ）において、各ＩＧＶ開度指令値補正部４２（４２ａ、４２ｂ）は、関数発生器６６（６６ａ、６６ｂ）を備える。関数発生器６６は、第一ＩＧＶ開度指令値補正部４２ａに対応する第一関数発生器６６ａと、第二ＩＧＶ開度指令値補正部４２ｂに対応する第二関数発生器６６ｂとからなる。各関数発生器６６には、合流後圧力検出器３４によって生成され、圧力インジケータ８２を介して出力された合流後圧力検出値と、対応するＩＧＶ３２（３２ａ、３２ｂ）に設けられたＩＧＶ開度検出器３７（３７ａ、３７ｂ）によって生成されたＩＧＶ開度検出値、更には入口流量検出器３３により生成され、流量インジケータ８１を介して出力された入口流量検出値が入力される。各関数発生器６６は、予め設定された関数ＦＸ６６によって、合流後圧力検出値とＩＧＶ開度検出値から、入口流量推定値を算出し、入口流量推定値と入口流量検出値との差分から、ＩＧＶ開度補正指令値を算出し、対応する関数発生器６２（６２ａ、６２ｂ）へと出力する。各関数発生器６２は、第一実施形態と同様の処理を行う。
【００７７】
第２実施形態における圧縮機制御装置２０２の制御の動作について説明する。
図７は、各関数発生器６６に設定されている、対応する最上流側圧縮機本体２１の性能カーブを示したグラフである。グラフ中の記号は、図５と同様である。ＩＧＶ開度検出値Ａ２と合流後圧力検出値Ｐ２から算出される流量推定値がＦ２であるとする。ここで、入口流量検出値がＦであった場合、最上流側圧縮機本体２１の性能カーブは、Ａ２からＡ２´へと変化していると考えられる。そのため、入口流量検出値が入口流量推定値となるように、対応するＩＧＶ３２の開度を大きくなるように制御する。
【００７８】
第２実施形態の作用について説明する。本実施形態では、入口流量検出値が、対応するＩＧＶ３２の実際の開度から推定される入口流量推定値になるように、ＩＧＶ３２の開度が制御される。そのため、各最上流側圧縮機の性能が当初から変化しても、適切にサージングを防ぐことができ、圧縮機全体の性能劣化を防ぐことができる。
【００７９】
次に、第３実施形態の圧縮機制御装置２０３について、説明する。
図８において、ＩＧＶ開度制御部４０（４０ａ、４０ｂ）におけるＩＧＶ開度指令値補正部４２（４２ａ、４２ｂ）は、補正取消信号生成部１０２（１０２ａ、１０２ｂ）と指令値選択部１２０（１２０ａ、１２０ｂ）とを備える。補正取消信号生成部１０２は、第一ＩＧＶ開度指令値補正部４２ａに対応する第一補正取消信号生成部１０２ａと、第二ＩＧＶ開度指令値補正部４２ｂに対応する第二補正取消信号生成部１０２ｂとからなる。指令値選択部１２０は、第一ＩＧＶ開度指令値補正部４２ａに対応する指令値選択部１２０ａと、第二ＩＧＶ開度指令値補正部４２ｂに対応する第二指令値選択部１２０ｂとからなる。各補正取消信号生成部１０２は、補正取消信号を生成し、出力する。出力された各補正取消信号は、対応する指令値選択部１２０へ入力される。各指令値選択部１２０には、対応する補正取消信号とＩＧＶ開度指令補正値が入力される。ここで、補正取消信号とは、対応する指令値選択部１２０に入力されるＩＧＶ開度指令補正値を打ち消す信号である。具体的には、ＩＧＶ開度指令補正値がＩＧＶ開度指令値を差分により補正する性質の値であれば、補正なし信号は値が０に設定された信号である。また、ＩＧＶ開度指令補正値が、ＩＧＶ開度指令値を比率により補正する性質の値であれば、補正なし信号は値が１に設定された信号である。
【００８０】
加えて、本実施形態の圧縮機には、アラーム１１０が設置されている。アラーム１１０は、流量検出器や圧力検出器、アクチュエータ等の機器に設けられる。
【００８１】
第３実施形態における圧縮機制御装置２０３の制御の動作について説明する。
アクチュエータの故障等の異常が発生し、アラーム１１０が異常を検知した場合、アラーム１１０はアラーム信号を各指令値選択部１２０へと出力する。各指令値選択部１２０は、アラーム信号が入力された場合は、補正取消信号を選択し、アラーム信号が入力されていない場合はＩＧＶ開度指令補正値を選択し、対応する関数発生器６２へと出力する。各関数発生器６２は、第一実施形態と同様の処理を行う。
【００８２】
第３実施形態の作用について説明する。アクチュエータや流量計、圧力計の異常や、劣化異常が発生した場合には、各最上流側圧縮機本体２１の性能差の補正を行うべきでない場合がある。そのような場合、アラーム信号を各指令値選択部１２０へと入力し、各指令値選択部１２０が対応する補正取消信号を選択することができる。これによって、補正を行うか否かの切り替えを行うことが可能となり、不要な補正を行なってしまうことを防止することができる。
【００８３】
次に、第４実施形態の圧縮機制御装置２０４について、説明する。
図９において、ＩＧＶ開度制御部４０（４０ａ、４０ｂ）におけるＩＧＶ開度指令値補正部４２（４２ａ、４２ｂ）は、性能差補正係数生成部１０４と入口流量目標値生成部１０５と関数発生器６７（６７ａ、６７ｂ）とを備える。関数発生器６７は、第一ＩＧＶ開度指令値補正部４２ａに対応する関数発生器６７ａと、第二ＩＧＶ開度指令値補正部４２ｂに対応する関数発生器６７ｂとからなる。また、性能差補正係数生成部１０４及び入口流量目標値生成部１０５は、第一ＩＧＶ開度指令値補正部４２ａ及び第二ＩＧＶ開度指令値補正部４２ｂとで共通のものである。性能差補正係数生成部１０４は、複数の最上流側圧縮機本体２１間の性能差を表す性能差補正係数を生成し、出力する。入口流量目標値生成部１０５には、性能差補正係数と、対応する複数の最上流側圧縮機本体２１それぞれにおける入口流量検出値が入力され、複数の最上流側圧縮機本体２１それぞれについて入口流量目標値を生成する。入口流量目標値は、対応する関数発生器６７へと入力される。各関数発生器６７は、各指令値選択部１２０と対応して設けられている。
【００８４】
各関数発生器６７には、入口流量目標値と、対応する流量インジケータ８１（８１ａ、８１ｂ）から出力された入口流量検出値が入力される。各関数発生器６７は、入口流量目標値と入口流量検出値の差分に比例したＩＧＶ開度指令補正値を生成し、出力する。ここで、各関数発生器６７は、入口流量目標値と入口流量検出値とを差分したものの積分を考慮し、ＩＧＶ開度指令補正値を生成、出力しても良い。
【００８５】
第４実施形態における圧縮機制御装置２０４の制御の動作について、説明する。
図１０において、Ｃ１は、第一最上流側圧縮機本体２１の性能を表すプロットである。また、Ｃ２は、第二最上流側圧縮機本体２１の性能を表すプロットである。入口流量目標値生成部１０５は、第一最上流側圧縮機本体２１及び第二最上流側圧縮機本体２１それぞれにおける入口流量検出値と、性能差補正係数生成部１０４で生成された性能差補正係数αによって、入口流量目標値Ｆ３を数１によって算出する。Ｆ３は、図１０においては、Ｃ３のプロットが示す流量である。したがって、Ｆ１とＦ２との中間値を流量目標値としたい場合は、αを０．５として生成する。なお、αは、手動で入力されることで生成されても良く、自動で生成されても良い。
【００８６】
【数１】
0005611253.tif 000002
【００８７】
第４実施形態の作用について、説明する。
性能差補正係数生成部１０４において、複数の最上流側圧縮機本体２１間の性能差を表す補正係数を調整して生成することができ、その補正係数によって、複数の最上流側圧縮機本体２１それぞれに設けられたＩＧＶ３２の開度を制御することができる。これによって、各最上流側圧縮機本体２１間の性能差による補正量を、状況に応じて調整することができる。例えば、よりサージングから遠い領域で運転させたい場合には、より小さいαを生成させることで、そのような運転を実現することが可能となる。
【００８８】
以上、本発明の実施形態について図面を参照して詳述したが、具体的な構成はこの実施形態に限られるものではなく、本発明の要旨を逸脱しない範囲の設計変更等も含まれる。
【００８９】
例えば、上記各実施形態では、最上流圧縮機本体２１（２１ａ、２１ｂ）それぞれにおいて、入口流量検出器３３が配置され、入口流量を検出し、入口流量検出値を生成している。そして、各実施形態では、ＩＧＶ開度指令値演算部は、生成された入口流量検出値を用いて、ＩＧＶ開度補正値を求めている。しかしながら、入口流量検出器３３に代えて、最上流圧縮機本体２１それぞれにおいて出口流量を検出して出口流量検出値を生成する出口流量検出器が設けられて、入口流量検出値に代えて出口流量検出値に基づいてＩＧＶ開度補正値を求めるものとしても良い。同様に、各実施形態では、上流側アンチサージ制御部は、生成された入口流量検出値を用いて、入口流量が入口流量目標値となるような第一放風弁開度指令値を出力している。しかしながら、入口流量検出器３３に代えて、最上流圧縮機本体２１それぞれにおいて出口流量を検出して出口流量検出値を生成する出口流量検出器が設けられて、入口流量検出値に代えて出口流量検出値から入口流量を推定し、当該入口流量が入口流量目標値となるような第一放風弁開度指令値を出力するものとしても良い。すなわち、各実施形態においては、各最上流側圧縮機本体を流通する最上流流量として入口流量または出口流量を検出して最上流流量検出値（入口流量検出値または出口流量検出値）を生成し、最上流流量検出値に基づいてＩＧＶ開度補正値を求め、また、第一放風弁開度指令値を出力するものとすれば良い。
【符号の説明】
【００９０】
１  圧縮機システム
２  圧縮機
２１  最上流側圧縮機本体
２２  下流側圧縮機本体
３２  インレットガイドベーン（ＩＧＶ）
３３  入口流量検出器
３４  合流後圧力検出器
３５  出口圧力検出器
３６  出口流量検出器
３７  インレットガイドベーン開度検出器
３８  放風弁
４０  インレットガイドベーン開度制御部
４１  インレットガイドベーン開度指令値生成部
４２  インレットガイドベーン開度指令値補正部
５０  放風弁開度制御部
５１  上流側アンチサージ制御部
５２  出口圧力制御部
５３  下流側アンチサージ制御部
１０１、１２０  指令値選択部
１０２  補正取消信号生成部
１０４  性能差補正係数生成部
１０５  入口流量目標生成部
１１０  アラーム
２０１、２０２、２０３、２０４  圧縮機制御装置
【図１】
0005611253.tif 000003
【図２】
0005611253.tif 000004
【図３】
0005611253.tif 000005
【図４】
0005611253.tif 000006
【図５】
0005611253.tif 000007
【図６】
0005611253.tif 000008
【図７】
0005611253.tif 000009
【図８】
0005611253.tif 000010
【図９】
0005611253.tif 000011
【図１０】
0005611253.tif 000012